(57)【要約】【課題】、衣服の留め具として使用できる衣服用装飾具及び、当該衣服用装飾具と、留め合わせ部にボタン挿通用の孔を備えていない衣服との組み合わせを提案する。【解決手段】衣服の留め合わせ部において留め具として使用できる衣服用装飾具であって、表面側が装飾面になっているボタン様台座部と、前記表面側に対向する前記ボタン様台座部の背面側から突出する刺突部とからなり、前記衣服を前記衣服の表側から裏側へ挿通した前記刺突部の先端側に掛止部が形成される留め具として使用できる衣服用装飾具。衣服の留め合わせ部にボタン挿通用の孔を備えていない衣服と、前記留め具として使用できる衣服用装飾具との組み合わせ。【選択図】図１
2019176921.tif 000002
【特許請求の範囲】
【請求項１】
衣服の留め合わせ部において留め具として使用できる衣服用装飾具であって、
表面側が装飾面になっているボタン様台座部と、
前記表面側に対向する前記ボタン様台座部の背面側から突出する刺突部とからなり、
前記衣服を前記衣服の表側から裏側へ挿通した前記刺突部の先端側に掛止部が形成される
留め具として使用できる衣服用装飾具。
【請求項２】
前記刺突部の先端側に形成される掛止部は、前記刺突部の先端に装着され、前記刺突部が前記衣服の裏側から表側へ抜けることを防止する受け具である請求項１記載の留め具として使用できる衣服用装飾具。
【請求項３】
前記刺突部の先端側に形成される掛止部は、前記刺突部の先端側が変形することで前記刺突部が前記衣服の裏側から表側へ抜けることを防止するものである請求項１記載の留め具として使用できる衣服用装飾具。
【請求項４】
衣服の留め合わせ部にボタン挿通用の孔を備えていない衣服と、請求項１乃至３のいずれか一項に記載の留め具として使用できる衣服用装飾具との組み合わせ。
【発明の詳細な説明】
【技術分野】
【０００１】
この発明は、衣服用装飾具及び、当該衣服装飾具と衣服との組み合わせに関する。特に、衣服の留め具として使用できる衣服用装飾具及び、当該衣服用装飾具と、留め合わせ部にボタン挿通用の孔を備えていない衣服との組み合わせに関する。
【背景技術】
【０００２】
衣服と衣服用の留め具に関しては従来から種々の提案がされている。
【０００３】
例えば、特許文献１には、一対のボタン本体部の双方が表になり、リバーシブルとして使用できるボタン及びボタン留め構造並びに衣服、ズボンに関する提案が行われている。
【先行技術文献】
【特許文献】
【０００４】
【特許文献１】特開２０１６−２２１１６１号公報
【発明の概要】
【発明が解決しようとする課題】
【０００５】
この発明は、衣服の留め具として使用できる衣服用装飾具及び、当該衣服用装飾具と、留め合わせ部にボタン挿通用の孔を備えていない衣服との組み合わせを提案することを目的にしている。
【課題を解決するための手段】
【０００６】
［１］
衣服の留め合わせ部において留め具として使用できる衣服用装飾具であって、
表面側が装飾面になっているボタン様台座部と、
前記表面側に対向する前記ボタン様台座部の背面側から突出する刺突部とからなり、
前記衣服を前記衣服の表側から裏側へ挿通した前記刺突部の先端側に掛止部が形成される
留め具として使用できる衣服用装飾具。
【０００７】
［２］
前記刺突部の先端側に形成される掛止部は、前記刺突部の先端に装着され、前記刺突部が前記衣服の裏側から表側へ抜けることを防止する受け具である［１］の留め具として使用できる衣服用装飾具。
【０００８】
［３］
前記刺突部の先端側に形成される掛止部は、前記刺突部の先端側が変形することで前記刺突部が前記衣服の裏側から表側へ抜けることを防止するものである［１］の留め具として使用できる衣服用装飾具。
【０００９】
［４］
衣服の留め合わせ部にボタン挿通用の孔を備えていない衣服と、［１］乃至［３］のいずれかの留め具として使用できる衣服用装飾具との組み合わせ。
【発明の効果】
【００１０】
この発明によれば、新規な、衣服の留め具として使用できる衣服用装飾具及び、当該衣服用装飾具と、留め合わせ部にボタン挿通用の孔を備えていない衣服との組み合わせを提供することができる。
【図面の簡単な説明】
【００１１】
【図１】（ａ）本発明の一実施形態に係る衣服の留め具として使用できる衣服用装飾具の斜視図、（ｂ）図１（ａ）とは異なる方向から見た本発明の一実施形態に係る衣服の留め具として使用できる衣服用装飾具の斜視図、（ｃ）図１（ａ）図示の衣服の留め具として使用できる衣服用装飾具によって、留め合わせ部にボタン挿通用の孔を備えていない衣服の留め合わせが行われる例を説明する一部を省略した概略断面図、（ｄ）図１（ａ）図示の衣服の留め具として使用できる衣服用装飾具によって、留め合わせ部にボタン挿通用の孔を備えていない衣服の留め合わせが行われる他の例を説明する一部を省略した概略断面図。
【図２】図１図示の本発明の一実施形態に係る衣服の留め具として使用できる衣服用装飾具によって、留め合わせ部にボタン挿通用の孔を備えていない衣服の留め合わせが行われる例を説明する正面図。
【図３】（ａ）本発明の他の実施形態に係る衣服の留め具として使用できる衣服用装飾具の斜視図、（ｂ）図３（ａ）とは異なる方向から見た本発明の他の実施形態に係る衣服の留め具として使用できる衣服用装飾具の斜視図。
【図４】図３図示の衣服の留め具として使用できる衣服用装飾具によって、留め合わせ部にボタン挿通用の孔を備えていない衣服の留め合わせが行われる例を説明する一部を省略した概略斜視図。
【図５】本発明の一実施形態に係る衣服の留め具として使用できる衣服用装飾具によって、留め合わせ部にボタン挿通用の孔を備えていない衣服の留め合わせ及び、装飾が行われている一例を説明する正面図。
【発明を実施するための形態】
【００１２】
この実施形態の衣服の留め具として使用できる衣服用装飾具３は、衣服１３の留め合わせ部において留め具として使用できるものである。
【００１３】
図２図示の実施形態では、衣服１３は、前身頃１０の図２中の右端側と、前身頃１１の図２中の左端側とを留め合わせ部とし、この留め合わせ部が、留め具として使用できる衣服用装飾具３によって留め合わされている。
【００１４】
衣服の留め具として使用できる衣服用装飾具３は、ボタン様台座部１と、ボタン様台座部１の背面側（図１（ａ）における上側）から突出する刺突部２とから構成されている。
【００１５】
刺突部２は、衣服１３をその表側から裏側へ向かって挿通するもので、例えば、針状の細長い棒状体である。後述するように、衣服１３を表側から裏側へ向かって挿通した後の先端側４が屈曲、等の変形を受けることで、刺突部２の衣服１３の裏側から表側への抜けが防止される。そこで、このような先端側４の屈曲、等の変形が可能で、変形後の変形部（刺突部２の先端側４）の形態によって刺突部２の衣服１３の裏側から表側への抜けが防止されるようになる部材であれば、金属や、合成樹脂など、種々の材質から刺突部２を形成することができる。
【００１６】
刺突部２が配備されているボタン様台座部１の背面側に対向する側、すなわち、衣服用装飾具３のボタン様台座部１の表面１ａは、装飾が施されている装飾面になっている。そこで、この実施形態の衣服用装飾具３によって、図２図示のように、衣服１３の留め合わせを行うと、衣服１３の表側に表出される、装飾面になっているボタン様台座部１の表面１ａにより、衣服１３の装飾としての効果を発揮させることができる。
【００１７】
例えば、図５図示のように、衣服１３の襟１４や、胸部などに取り付けて、衣服用装飾具３のボタン様台座部１の表面１ａを表出させて装飾用の効果を発揮させることができる。
【００１８】
図１（ｃ）、（ｄ）、図２図示の実施形態では、衣服１３の前身頃１０の図２中の右端側と、前身頃１１の図２中の左端側とからなる留め合わせ部が図１（ｃ）、図２図示のように重なっている状態で、刺突部２の先端側４が、図１（ｃ）、（ｄ）において左側から右側に向かって、すなわち、衣服１３の表側から裏側へ向かって挿通する。
【００１９】
そして、このように挿通した刺突部２の先端側４に掛止部が形成されることで、刺突部２が衣服１３の裏側から表側へ抜けることが防止される。
【００２０】
こうして、図１（ａ）、（ｂ）図示の、衣服の留め具として使用できる衣服用装飾具３は、衣服１３の留め合わせ部において留め具として使用される。
【００２１】
衣服１３を表側から裏側へ挿通した刺突部２の先端側４に掛止部が形成される形態としては、図１（ｃ）、（ｄ）図示のように、刺突部２の先端側４に屈曲部が形成されるものがある。
【００２２】
図１（ｃ）図示の実施形態では先端側４がバネ様に巻回することで、衣服１３の裏側から表側へ刺突部２が抜けることが防止される。
【００２３】
図１（ｄ）の実施形態では刺突部２の先端側４における屈曲点５で屈曲が行われて、刺突部２の先端６が屈曲点５から衣服１３の前身頃１１と平行に伸びるようになり、衣服１３の裏側から表側へ刺突部２が抜けることが防止される。
【００２４】
図３図示の実施形態は、刺突部２の先端側に形成される掛止部の他の実施形態を説明するものである。
【００２５】
受け具７が、刺突部２の先端に装着されることで、刺突部２が衣服１３の裏側から表側へ抜けることが防止されている。図示の実施形態では、受け具７は刺突部２の先端が嵌合される嵌合穴８を備えており、衣服の前身頃１０、１１を衣服１３の表側から裏側に向かって挿通してきた刺突部２の先端が、この嵌合穴８に嵌合される。
【００２６】
こうして、ボタン様台座部１と、ボタン様台座部１の背面側から突出する刺突部２と、刺突部２の先端に装着される受け具７とからなる、衣服の留め具として使用できる衣服用装飾具３´によって、衣服１３の留め合わせ部における留め合わせが行われる。
【００２７】
なお、図３、図４図示の実施形態の場合、衣服の留め具として使用できる衣服用装飾具３´の刺突部２が嵌合される嵌合穴８を備えている受け具７と、当該衣服の留め具として使用できる衣服用装飾具３´とを不図示の連結手段、例えば、紐部材や、鎖、チェーンなどによって連結しておくことができる。衣服用装飾具３´と受け具７とを組み合わせておくものである。
【００２８】
図３、図４図示の実施形態の場合、図４でその概略を説明しているように、針状の細長い棒状体である刺突部２が、衣服１３の前身頃１０、１１を衣服１３の表側から裏側に向かって挿通し、挿通を終えた刺突部２の先端側に掛止部が形成される（この実施形態では、刺突部２の先端が受け具７の嵌合穴８に嵌合されることで掛止部が形成される）ことによって、衣服１３の留め合わせ部における留め合わせが行われる。
【００２９】
以上説明した図１〜図４のいずれの実施形態においても、留め合わせ部を構成する、図２、図４における、前身頃１０の右端側及び、前身頃１１の左端側にはボタン孔が形成されている必要がない。
【００３０】
このため、この実施形態の衣服の留め具として使用できる衣服用装飾具３、３´を使用する者は、衣服１３において留め合わせを行いたいと希望する任意の箇所で衣服１３の留めあわせを行うことができる。
【００３１】
従来の衣服であれば、その留め合わせ部に、ボタン、等の留め合わせ用部材が挿通するためのボタン孔を形成しておく必要があった。しかし、この実施形態の留め具として使用できる衣服用装飾具３、３´では、上述したように、衣服１３の留めあわせを行う箇所にボタン孔が形成されている必要がない。
【００３２】
そこで、この実施形態の留め具として使用できる衣服用装飾具３、３´と、衣服１３との組み合わせによれば、ボタン孔、等の留め合わせ部材用の孔を備えていない、従来になかった、新しい概念、デザインの衣服を提供することが可能になる。
【００３３】
また、上述したように、衣服の留め具として使用できる衣服用装飾具３、３´のボタン様台座部１の表面１ａが、彩色されたり、種々の模様、デザインが施されたり、種々の造形物が施されていることで装飾面になっていることにより、この実施形態の衣服の留め具として使用できる衣服用装飾具３、３´は、衣服１３の装飾用に使用することができる。
【００３４】
そこで、ボタン孔、等の留め合わせ部材用の孔を備えていない、従来になかった、新しい概念、デザインの衣服と、この実施形態の衣服の留め具として使用できる衣服用装飾具３、３´とを組み合わせることで、一層、装飾用の効果を高めることができる。
【００３５】
また、Ｔｉｍｅ（時間）、Ｐｌａｃｅ（場所）、Ｏｃｃａｓｉｏｎ（場合）に即した装飾が表面に施されているボタン様台座部１を選択して身に着けることもできる。
【００３６】
上述したように、ボタン孔、等の留め合わせ部材用の孔を、留めあわせを行う箇所に備えていない衣服は、リバーシブルな衣服にしたり、男女どちらでも着ることができる衣服、いわゆるユニセックスな衣服にすることができる。
【００３７】
そこで、この実施形態の留め具として使用できる衣服用装飾具３、３´と、衣服１３との組み合わせによれば、従来になかった、新しい概念、デザインの衣服や、ファッションを提供することが可能になる。
【００３８】
以上、この発明の実施形態を添付図面を参照して説明したが、この発明は上述した実施形態に限られることなく、特許請求の範囲の記載から把握される技術的範囲において種々に変更可能である。
【符号の説明】
【００３９】
１    ボタン様台座部
１ａ  ボタン様台座部の表面
２    刺突部
３、３´  衣服の留め具として使用できる衣服用装飾具
４    刺突部の先端側
７    受け具
８    嵌合穴
１０、１１  衣服の前身頃
１３  衣服
【図１】
2019176921.tif 000003
【図２】
2019176921.tif 000004
【図３】
2019176921.tif 000005
【図４】
2019176921.tif 000006
【図５】
2019176921.tif 000007
【手続補正書】
【提出日】平成30年8月6日(2018.8.6)
【手続補正１】
【補正対象書類名】特許請求の範囲
【補正対象項目名】全文
【補正方法】変更
【補正の内容】
【特許請求の範囲】
【請求項１】
人間の身体に装着された際に互いに留め合わされる関係の位置になる衣服の一方の前身頃に配備されている一方の留め合わせ部と、他方の前身頃に配備されている他方の留め合わせ部であって、いずれもボタン挿通用の孔を備えていない前記一方の留め合わせ部と、前記他方の留め合わせ部とを有する衣服と、
衣服の留め合わせ部において留め具として使用できる衣服用装飾具との組み合わせであって、
前記衣服用装飾具は、
表面側が装飾面になっているボタン様台座部と、
前記表面側に対向する前記ボタン様台座部の背面側から突出する刺突部とからなり、
前記衣服を前記一方の留め合わせ部の表側から裏側へ挿通し、更に、前記他方の留め合わせ部の表側から裏側へ挿通した前記刺突部の先端側に掛止部が形成される
留め具として使用できる衣服用装飾具である
衣服と衣服用装飾具との組み合わせ。
【請求項２】
前記刺突部の先端側に形成される掛止部は、前記刺突部の先端に装着され、前記刺突部が前記他方の留め合わせ部の裏側から表側へ抜けることを防止する受け具である請求項１記載の衣服と衣服用装飾具との組み合わせ。
【請求項３】
前記刺突部の先端側に形成される掛止部は、前記刺突部の先端側が変形することで前記刺突部が前記他方の留め合わせ部の裏側から表側へ抜けることを防止するものである請求項１記載の衣服と衣服用装飾具との組み合わせ。
【手続補正３】
【補正対象書類名】明細書
【補正対象項目名】０００６
【補正方法】変更
【補正の内容】
【０００６】
［１］
人間の身体に装着された際に互いに留め合わされる関係の位置になる衣服の一方の前身頃に配備されている一方の留め合わせ部と、他方の前身頃に配備されている他方の留め合わせ部であって、いずれもボタン挿通用の孔を備えていない前記一方の留め合わせ部と、前記他方の留め合わせ部とを有する衣服と、
衣服の留め合わせ部において留め具として使用できる衣服用装飾具との組み合わせであって、
前記衣服用装飾具は、
表面側が装飾面になっているボタン様台座部と、
前記表面側に対向する前記ボタン様台座部の背面側から突出する刺突部とからなり、
前記衣服を前記一方の留め合わせ部の表側から裏側へ挿通し、更に、前記他方の留め合わせ部の表側から裏側へ挿通した前記刺突部の先端側に掛止部が形成される
留め具として使用できる衣服用装飾具である
衣服と衣服用装飾具との組み合わせ。
【手続補正４】
【補正対象書類名】明細書
【補正対象項目名】０００７
【補正方法】変更
【補正の内容】
【０００７】
［２］
前記刺突部の先端側に形成される掛止部は、前記刺突部の先端に装着され、前記刺突部が前記他方の留め合わせ部の裏側から表側へ抜けることを防止する受け具である［１］の衣服と衣服用装飾具との組み合わせ。
【手続補正５】
【補正対象書類名】明細書
【補正対象項目名】０００８
【補正方法】変更
【補正の内容】
【０００８】
［３］
前記刺突部の先端側に形成される掛止部は、前記刺突部の先端側が変形することで前記刺突部が前記他方の留め合わせ部の裏側から表側へ抜けることを防止するものである［１］の衣服と衣服用装飾具との組み合わせ。
【手続補正６】
【補正対象書類名】明細書
【補正対象項目名】０００９
【補正方法】削除
【補正の内容】